(57)【要約】【課題】宅側装置がスリープ動作を行なうことが可能な通信システムにおいて、宅側装置から局側装置への通信の安定化を図ることが可能な通信システム、局側装置および通信制御方法を提供する。【解決手段】宅側装置２０２は、局側装置１０１へ通信信号を送信する送信動作を停止するスリープ状態へ遷移し、スリープ状態から復帰して送信動作を行ない、送信動作を行なう起床期間の満了後、再びスリープ状態へ遷移するか、またはスリープ状態へ遷移せずに起床通知を局側装置１０１へ送信して送信動作を継続する。宅側装置２０２に対して、起床通知を送信するための通信回線における帯域を割り当てる。そして、宅側装置２０２からの起床通知が局側装置１０１に到着していない場合には、宅側装置２０２に対して、起床通知とは異なる情報を送信するための帯域の割り当てを制限する。【選択図】図１
2013098600.tif 000002
【特許請求の範囲】
【請求項１】
１または複数の宅側装置と、各前記宅側装置と共通の通信回線を介して通信信号を送受信するための局側装置とを備え、前記各宅側装置から前記局側装置への前記通信信号が時分割多重される通信システムであって、
前記宅側装置は、前記局側装置へ前記通信信号を送信する送信動作を停止するスリープ状態へ遷移し、前記スリープ状態から復帰して前記送信動作を行ない、前記送信動作を行なう起床期間の満了後、再び前記スリープ状態へ遷移するか、または前記スリープ状態へ遷移せずに起床通知を前記局側装置へ送信して前記送信動作を継続し、
前記局側装置への前記起床通知の到着を監視するための監視部と、
前記通信信号を送信するための前記通信回線における帯域を割り当て、前記宅側装置からの前記起床通知が前記局側装置に到着していない場合には、前記宅側装置に対して、前記起床通知に対応する量の前記帯域を割り当てるための帯域割り当て部とを備える、通信システム。
【請求項２】
前記帯域割り当て部は、前記宅側装置からの前記起床通知が前記局側装置に到着する前に、前記起床通知に対応する量とは異なる量の前記帯域の割り当てを前記宅側装置から要求されても、要求された前記帯域の割り当てを行なわない、請求項１に記載の通信システム。
【請求項３】
前記宅側装置は、前記スリープ状態へ遷移する場合にはスリープ通知を前記局側装置へ送信し、
前記帯域に関し、前記スリープ通知に対応する量は、前記起床通知に対応する量と共通しており、
前記帯域割り当て部は、前記宅側装置からの前記起床通知が前記局側装置に到着していない場合には、前記宅側装置に対して、前記共通する量の前記帯域を割り当てる、請求項１または請求項２に記載の通信システム。
【請求項４】
１または複数の宅側装置と、各前記宅側装置と共通の通信回線を介して通信信号を送受信するための局側装置とを備え、前記各宅側装置から前記局側装置への前記通信信号が時分割多重される通信システムであって、
前記宅側装置は、前記局側装置へ前記通信信号を送信する送信動作を停止するスリープ状態へ遷移し、前記スリープ状態へ遷移する場合にはスリープ通知を前記局側装置へ送信し、前記スリープ状態から復帰して前記送信動作を行ない、前記送信動作を行なう起床期間の満了後、再び前記スリープ状態へ遷移するか、または前記スリープ状態へ遷移せずに起床通知を前記局側装置へ送信して前記送信動作を継続し、
前記局側装置への前記起床通知の到着を監視するための監視部と、
前記通信信号を送信するための前記通信回線における帯域を割り当て、前記宅側装置からの前記起床通知が前記局側装置に到着していない場合には、前記宅側装置に対して、前記起床通知に対応する量および前記スリープ通知に対応する量のうち多い方の前記帯域を割り当てるための帯域割り当て部とを備える、通信システム。
【請求項５】
１または複数の宅側装置と共通の通信回線を介して通信信号を送受信するための局側装置であって、
前記宅側装置は、前記局側装置へ前記通信信号を送信する送信動作を停止するスリープ状態へ遷移し、前記スリープ状態から復帰して前記送信動作を行ない、前記送信動作を行なう起床期間の満了後、再び前記スリープ状態へ遷移するか、または前記スリープ状態へ遷移せずに起床通知を前記局側装置へ送信して前記送信動作を継続し、
時分割多重された前記通信信号を各前記宅側装置から受信するための受信部と、
前記宅側装置に対して、前記通信信号を送信するための前記通信回線における帯域を割り当て、前記宅側装置からの前記起床通知が前記局側装置に到着していない場合には、前記宅側装置に対して、前記起床通知に対応する量の前記帯域を割り当てるための帯域割り当て部とを備える、局側装置。
【請求項６】
１または複数の宅側装置と共通の通信回線を介して通信信号を送受信するための局側装置であって、
前記宅側装置は、前記局側装置へ前記通信信号を送信する送信動作を停止するスリープ状態へ遷移し、前記スリープ状態へ遷移する場合にはスリープ通知を前記局側装置へ送信し、前記スリープ状態から復帰して前記送信動作を行ない、前記送信動作を行なう起床期間の満了後、再び前記スリープ状態へ遷移するか、または前記スリープ状態へ遷移せずに起床通知を前記局側装置へ送信して前記送信動作を継続し、
時分割多重された前記通信信号を各前記宅側装置から受信するための受信部と、
前記宅側装置に対して、前記通信信号を送信するための前記通信回線における帯域を割り当て、前記宅側装置からの前記起床通知が前記局側装置に到着していない場合には、前記宅側装置に対して、前記起床通知に対応する量および前記スリープ通知に対応する量のうち多い方の前記帯域を割り当てるための帯域割り当て部とを備える、局側装置。
【請求項７】
１または複数の宅側装置と、各前記宅側装置と共通の通信回線を介して通信信号を送受信するための局側装置とを備え、前記各宅側装置から前記局側装置への前記通信信号が時分割多重される通信システムにおける通信制御方法であって、
前記宅側装置は、前記局側装置へ前記通信信号を送信する送信動作を停止するスリープ状態へ遷移し、前記スリープ状態から復帰して前記送信動作を行ない、前記送信動作を行なう起床期間の満了後、再び前記スリープ状態へ遷移するか、または前記スリープ状態へ遷移せずに起床通知を前記局側装置へ送信して前記送信動作を継続し、
前記局側装置への前記起床通知の到着を監視するステップと、
前記宅側装置に対して、前記通信信号を送信するための前記通信回線における帯域を割り当てるステップとを含み、
前記帯域を割り当てるステップにおいては、前記宅側装置からの前記起床通知が前記局側装置に到着していない場合には、前記宅側装置に対して、前記起床通知に対応する量の前記帯域を割り当てる、通信制御方法。
【請求項８】
１または複数の宅側装置と、各前記宅側装置と共通の通信回線を介して通信信号を送受信するための局側装置とを備え、前記各宅側装置から前記局側装置への前記通信信号が時分割多重される通信システムにおける通信制御方法であって、
前記宅側装置は、前記局側装置へ前記通信信号を送信する送信動作を停止するスリープ状態へ遷移し、前記スリープ状態へ遷移する場合にはスリープ通知を前記局側装置へ送信し、前記スリープ状態から復帰して前記送信動作を行ない、前記送信動作を行なう起床期間の満了後、再び前記スリープ状態へ遷移するか、または前記スリープ状態へ遷移せずに起床通知を前記局側装置へ送信して前記送信動作を継続し、
前記局側装置への前記起床通知の到着を監視するステップと、
前記宅側装置に対して、前記通信信号を送信するための前記通信回線における帯域を割り当てるステップとを含み、
前記帯域を割り当てるステップにおいては、前記宅側装置からの前記起床通知が前記局側装置に到着していない場合には、前記宅側装置に対して、前記起床通知に対応する量および前記スリープ通知に対応する量のうち多い方の前記帯域を割り当てる、通信制御方法。
【発明の詳細な説明】
【技術分野】
【０００１】
本発明は、通信システム、局側装置および通信制御方法に関し、特に、省電力機能を提供する通信システム、局側装置および通信制御方法に関する。
【背景技術】
【０００２】
近年、インターネットが広く普及しており、利用者は世界各地で運営されているサイトの様々な情報にアクセスし、その情報を入手することが可能である。これに伴って、ＡＤＳＬ（Asymmetric Digital Subscriber Line）およびＦＴＴＨ（Fiber To The Home）等のブロードバンドアクセスが可能な装置も急速に普及してきている。
【０００３】
ＩＥＥＥ  Ｓｔｄ  ８０２．３ａｈ（登録商標）−２００４（非特許文献１）には、複数の宅側装置（ＯＮＵ：Optical Network Unit）が光通信回線を共有して局側装置（ＯＬＴ：Optical Line Terminal）とのデータ伝送を行なう媒体共有形通信である受動的光ネットワーク（ＰＯＮ：Passive Optical Network）の１つの方式が開示されている。すなわち、ＰＯＮを通過するユーザ情報およびＰＯＮを管理運用するための制御情報を含め、すべての情報がイーサネット（登録商標）フレームの形式で通信されるＥＰＯＮ（Ethernet（登録商標） PON）と、ＥＰＯＮのアクセス制御プロトコル（ＭＰＣＰ（Multi-Point Control Protocol））およびＯＡＭ（Operations Administration and Maintenance）プロトコルとが規定されている。局側装置と宅側装置との間でＭＰＣＰフレームをやりとりすることによって、宅側装置の加入、離脱、および上りアクセス多重制御などが行なわれる。また、非特許文献１では、ＭＰＣＰメッセージによる、新規宅側装置の登録方法、帯域割り当て要求を示すレポート、および送信指示を示すゲートについて記載されている。
【０００４】
なお、１ギガビット／秒の通信速度を実現するＥＰＯＮであるＧＥ−ＰＯＮの次世代の技術として、ＩＥＥＥ８０２．３ａｖ（登録商標）−２００９として標準化が行なわれた１０Ｇ−ＥＰＯＮすなわち通信速度が１０ギガビット／秒相当のＥＰＯＮにおいても、アクセス制御プロトコルはＭＰＣＰが前提となっている。
【０００５】
ＰＯＮの省電力化を図るための機能として、ＯＮＵが通信を行っていない場合に不要となる機能について、当該機能を実行するためのＣＰＵ（Central Processing Unit）、ＬＳＩ（Large Scale Integration）または送受信器等への電力供給を停止するスリープ機能が提案されている。
【先行技術文献】
【非特許文献】
【０００６】
【非特許文献１】IEEE Std 802.3ah（登録商標）-2004
【発明の概要】
【発明が解決しようとする課題】
【０００７】
このような省電力機能の一例として、以下のようなＯＮＵのスリープ動作が考えられる。すなわち、ＯＮＵは、局側装置からの下りフレームの受信動作は継続する一方で、局側装置への上りフレームの送信動作を停止するスリープ状態へ遷移し、スリープ状態を継続するスリープ期間の満了後にスリープ状態から復帰して上記送信動作を行ない、上記送信動作を行なう起床期間の満了後に再びスリープ状態へ遷移するか否かを上りトラフィックの有無等に基づいて判断する。
【０００８】
このスリープ動作において、ＯＮＵは、スリープ状態へ遷移しない場合には起床通知を局側装置へ送信し、局側装置は、この起床通知によってＯＮＵがスリープ動作から通常動作へ復帰することを認識する。
【０００９】
ＯＮＵが以上のようなスリープ動作を行なう場合、局側装置において、起床通知が到着する前に上りデータフレームがＯＮＵから到着する場合も考えられる。このような場合には、局側装置において当該上りデータフレームを受信できず、廃棄されてしまう可能性がある。
【００１０】
また、スリープ状態において、ＯＮＵに搭載される、光信号を送受信するための光トランシーバにおける送信回路を停止することによって、省電力化を図る構成が考えられる。このような構成においては、スリープ期間から起床期間への遷移の際に光トランシーバを起動する必要がある。この場合、起床期間の開始直後にＯＮＵが上りデータフレームを送信すると、光トランシーバの光出力が安定する前に不安定な光信号が局側装置へ送信される可能性がある。
【００１１】
この発明は、上述の課題を解決するためになされたもので、その目的は、宅側装置がスリープ動作を行なうことが可能な通信システムにおいて、宅側装置から局側装置への通信の安定化を図ることが可能な通信システム、局側装置および通信制御方法を提供することである。
【課題を解決するための手段】
【００１２】
上記課題を解決するために、この発明のある局面に係わる通信システムは、１または複数の宅側装置と、各上記宅側装置と共通の通信回線を介して通信信号を送受信するための局側装置とを備え、上記各宅側装置から上記局側装置への上記通信信号が時分割多重される通信システムであって、上記宅側装置は、上記局側装置へ上記通信信号を送信する送信動作を停止するスリープ状態へ遷移し、上記スリープ状態から復帰して上記送信動作を行ない、上記送信動作を行なう起床期間の満了後、再び上記スリープ状態へ遷移するか、または上記スリープ状態へ遷移せずに起床通知を上記局側装置へ送信して上記送信動作を継続し、上記局側装置への上記起床通知の到着を監視するための監視部と、上記通信信号を送信するための上記通信回線における帯域を割り当て、上記宅側装置からの上記起床通知が上記局側装置に到着していない場合には、上記宅側装置に対して、上記起床通知に対応する量の上記帯域を割り当てるための帯域割り当て部とを備える。
【００１３】
このように、スリープ動作中の宅側装置に対して起床通知用の帯域とは異なる情報用の帯域の割り当てを制限する構成により、起床通知と他の情報との順序に関する通信手順を遵守し、局側装置における通信信号の廃棄を防ぐことができる。また、宅側装置からの起床通知を受信してから当該宅側装置に対して他の情報の送信を許可する構成により、起床期間の開始直後に宅側装置がデータフレーム等を送信することを防ぎ、光トランシーバの光出力が安定する前に不安定な光信号が局側装置へ送信されることを防ぐことができる。したがって、宅側装置がスリープ動作を行なうことが可能な通信システムにおいて、宅側装置から局側装置への通信の安定化を図ることができる。
【００１４】
好ましくは、上記帯域割り当て部は、上記宅側装置からの上記起床通知が上記局側装置に到着する前に、上記起床通知に対応する量とは異なる量の上記帯域の割り当てを上記宅側装置から要求されても、要求された上記帯域の割り当てを行なわない。
【００１５】
このような構成により、たとえば、宅側装置が起床通知およびスリープ通知を局側装置へ送信する通信システムにおいて、宅側装置が、起床期間において、起床通知を送信する前に誤って局側装置に対して他の情報用の帯域の割り当てを要求したとき、この要求を無視することができる。このため、宅側装置から局側装置への通信のさらなる安定化を図ることができる。
【００１６】
好ましくは、上記宅側装置は、上記スリープ状態へ遷移する場合にはスリープ通知を上記局側装置へ送信し、上記帯域に関し、上記スリープ通知に対応する量は、上記起床通知に対応する量と共通しており、上記帯域割り当て部は、上記宅側装置からの上記起床通知が上記局側装置に到着していない場合には、上記宅側装置に対して、上記共通する量の上記帯域を割り当てる。
【００１７】
このような構成により、宅側装置が起床通知およびスリープ通知を局側装置へ送信する通信システムにおいて、スリープ動作中の宅側装置に対する帯域割り当て処理および帯域割り当ての制限処理を適切に行なうことができる。
【００１８】
またこの発明の別の局面に係わる通信システムは、１または複数の宅側装置と、各上記宅側装置と共通の通信回線を介して通信信号を送受信するための局側装置とを備え、上記各宅側装置から上記局側装置への上記通信信号が時分割多重される通信システムであって、上記宅側装置は、上記局側装置へ上記通信信号を送信する送信動作を停止するスリープ状態へ遷移し、上記スリープ状態へ遷移する場合にはスリープ通知を上記局側装置へ送信し、上記スリープ状態から復帰して上記送信動作を行ない、上記送信動作を行なう起床期間の満了後、再び上記スリープ状態へ遷移するか、または上記スリープ状態へ遷移せずに起床通知を上記局側装置へ送信して上記送信動作を継続し、上記局側装置への上記起床通知の到着を監視するための監視部と、上記通信信号を送信するための上記通信回線における帯域を割り当て、上記宅側装置からの上記起床通知が上記局側装置に到着していない場合には、上記宅側装置に対して、上記起床通知に対応する量および上記スリープ通知に対応する量のうち多い方の上記帯域を割り当てるための帯域割り当て部とを備える。
【００１９】
このように、スリープ動作中の宅側装置に対して起床通知用の帯域とは異なる情報用の帯域の割り当てを制限する構成により、起床通知と他の情報との順序に関する通信手順を遵守し、局側装置における通信信号の廃棄を防ぐことができる。また、宅側装置からの起床通知を受信してから当該宅側装置に対して他の情報の送信を許可する構成により、起床期間の開始直後に宅側装置がデータフレーム等を送信することを防ぎ、光トランシーバの光出力が安定する前に不安定な光信号が局側装置へ送信されることを防ぐことができる。また、宅側装置が起床通知およびスリープ通知を局側装置へ送信する通信システムにおいて、宅側装置が、起床期間において、起床通知を送信する前に誤って局側装置に対して他の情報用の帯域の割り当てを要求したとき、この要求を無視することができる。したがって、宅側装置がスリープ動作を行なうことが可能な通信システムにおいて、宅側装置から局側装置への通信の安定化を図ることができる。
【００２０】
上記課題を解決するために、この発明のある局面に係わる局側装置は、１または複数の宅側装置と共通の通信回線を介して通信信号を送受信するための局側装置であって、上記宅側装置は、上記局側装置へ上記通信信号を送信する送信動作を停止するスリープ状態へ遷移し、上記スリープ状態から復帰して上記送信動作を行ない、上記送信動作を行なう起床期間の満了後、再び上記スリープ状態へ遷移するか、または上記スリープ状態へ遷移せずに起床通知を上記局側装置へ送信して上記送信動作を継続し、時分割多重された上記通信信号を各上記宅側装置から受信するための受信部と、上記宅側装置に対して、上記通信信号を送信するための上記通信回線における帯域を割り当て、上記宅側装置からの上記起床通知が上記局側装置に到着していない場合には、上記宅側装置に対して、上記起床通知に対応する量の上記帯域を割り当てるための帯域割り当て部とを備える。
【００２１】
このように、スリープ動作中の宅側装置に対して起床通知用の帯域とは異なる情報用の帯域の割り当てを制限する構成により、起床通知と他の情報との順序に関する通信手順を遵守し、局側装置における通信信号の廃棄を防ぐことができる。また、宅側装置からの起床通知を受信してから当該宅側装置に対して他の情報の送信を許可する構成により、起床期間の開始直後に宅側装置がデータフレーム等を送信することを防ぎ、光トランシーバの光出力が安定する前に不安定な光信号が局側装置へ送信されることを防ぐことができる。したがって、宅側装置がスリープ動作を行なうことが可能な通信システムにおいて、宅側装置から局側装置への通信の安定化を図ることができる。
【００２２】
またこの発明の別の局面に係わる局側装置は、１または複数の宅側装置と共通の通信回線を介して通信信号を送受信するための局側装置であって、上記宅側装置は、上記局側装置へ上記通信信号を送信する送信動作を停止するスリープ状態へ遷移し、上記スリープ状態へ遷移する場合にはスリープ通知を上記局側装置へ送信し、上記スリープ状態から復帰して上記送信動作を行ない、上記送信動作を行なう起床期間の満了後、再び上記スリープ状態へ遷移するか、または上記スリープ状態へ遷移せずに起床通知を上記局側装置へ送信して上記送信動作を継続し、時分割多重された上記通信信号を各上記宅側装置から受信するための受信部と、上記宅側装置に対して、上記通信信号を送信するための上記通信回線における帯域を割り当て、上記宅側装置からの上記起床通知が上記局側装置に到着していない場合には、上記宅側装置に対して、上記起床通知に対応する量および上記スリープ通知に対応する量のうち多い方の上記帯域を割り当てるための帯域割り当て部とを備える。
【００２３】
このように、スリープ動作中の宅側装置に対して起床通知用の帯域とは異なる情報用の帯域の割り当てを制限する構成により、起床通知と他の情報との順序に関する通信手順を遵守し、局側装置における通信信号の廃棄を防ぐことができる。また、宅側装置からの起床通知を受信してから当該宅側装置に対して他の情報の送信を許可する構成により、起床期間の開始直後に宅側装置がデータフレーム等を送信することを防ぎ、光トランシーバの光出力が安定する前に不安定な光信号が局側装置へ送信されることを防ぐことができる。また、宅側装置が起床通知およびスリープ通知を局側装置へ送信する通信システムにおいて、宅側装置が、起床期間において、起床通知を送信する前に誤って局側装置に対して他の情報用の帯域の割り当てを要求したとき、この要求を無視することができる。したがって、宅側装置がスリープ動作を行なうことが可能な通信システムにおいて、宅側装置から局側装置への通信の安定化を図ることができる。
【００２４】
上記課題を解決するために、この発明のある局面に係わる通信制御方法は、１または複数の宅側装置と、各上記宅側装置と共通の通信回線を介して通信信号を送受信するための局側装置とを備え、上記各宅側装置から上記局側装置への上記通信信号が時分割多重される通信システムにおける通信制御方法であって、上記宅側装置は、上記局側装置へ上記通信信号を送信する送信動作を停止するスリープ状態へ遷移し、上記スリープ状態から復帰して上記送信動作を行ない、上記送信動作を行なう起床期間の満了後、再び上記スリープ状態へ遷移するか、または上記スリープ状態へ遷移せずに起床通知を上記局側装置へ送信して上記送信動作を継続し、上記局側装置への上記起床通知の到着を監視するステップと、上記宅側装置に対して、上記通信信号を送信するための上記通信回線における帯域を割り当てるステップとを含み、上記帯域を割り当てるステップにおいては、上記宅側装置からの上記起床通知が上記局側装置に到着していない場合には、上記宅側装置に対して、上記起床通知に対応する量の上記帯域を割り当てる。
【００２５】
このように、スリープ動作中の宅側装置に対して起床通知用の帯域とは異なる情報用の帯域の割り当てを制限する構成により、起床通知と他の情報との順序に関する通信手順を遵守し、局側装置における通信信号の廃棄を防ぐことができる。また、宅側装置からの起床通知を受信してから当該宅側装置に対して他の情報の送信を許可する構成により、起床期間の開始直後に宅側装置がデータフレーム等を送信することを防ぎ、光トランシーバの光出力が安定する前に不安定な光信号が局側装置へ送信されることを防ぐことができる。したがって、宅側装置がスリープ動作を行なうことが可能な通信システムにおいて、宅側装置から局側装置への通信の安定化を図ることができる。
【００２６】
またこの発明の別の局面に係わる通信制御方法は、１または複数の宅側装置と、各上記宅側装置と共通の通信回線を介して通信信号を送受信するための局側装置とを備え、上記各宅側装置から上記局側装置への上記通信信号が時分割多重される通信システムにおける通信制御方法であって、上記宅側装置は、上記局側装置へ上記通信信号を送信する送信動作を停止するスリープ状態へ遷移し、上記スリープ状態へ遷移する場合にはスリープ通知を上記局側装置へ送信し、上記スリープ状態から復帰して上記送信動作を行ない、上記送信動作を行なう起床期間の満了後、再び上記スリープ状態へ遷移するか、または上記スリープ状態へ遷移せずに起床通知を上記局側装置へ送信して上記送信動作を継続し、上記局側装置への上記起床通知の到着を監視するステップと、上記宅側装置に対して、上記通信信号を送信するための上記通信回線における帯域を割り当てるステップとを含み、上記帯域を割り当てるステップにおいては、上記宅側装置からの上記起床通知が上記局側装置に到着していない場合には、上記宅側装置に対して、上記起床通知に対応する量および上記スリープ通知に対応する量のうち多い方の上記帯域を割り当てる。
【００２７】
このように、スリープ動作中の宅側装置に対して起床通知用の帯域とは異なる情報用の帯域の割り当てを制限する構成により、起床通知と他の情報との順序に関する通信手順を遵守し、局側装置における通信信号の廃棄を防ぐことができる。また、宅側装置からの起床通知を受信してから当該宅側装置に対して他の情報の送信を許可する構成により、起床期間の開始直後に宅側装置がデータフレーム等を送信することを防ぎ、光トランシーバの光出力が安定する前に不安定な光信号が局側装置へ送信されることを防ぐことができる。また、宅側装置が起床通知およびスリープ通知を局側装置へ送信する通信システムにおいて、宅側装置が、起床期間において、起床通知を送信する前に誤って局側装置に対して他の情報用の帯域の割り当てを要求したとき、この要求を無視することができる。したがって、宅側装置がスリープ動作を行なうことが可能な通信システムにおいて、宅側装置から局側装置への通信の安定化を図ることができる。
【発明の効果】
【００２８】
本発明によれば、宅側装置がスリープ動作を行なうことが可能な通信システムにおいて、宅側装置から局側装置への通信の安定化を図ることができる。
【図面の簡単な説明】
【００２９】
【図１】本発明の実施の形態に係るＰＯＮシステムの構成を示す図である。
【図２】本発明の実施の形態に係るＰＯＮシステムにおける局側装置の構成を示す図である。
【図３】本発明の実施の形態に係る宅側装置の構成を示す図である。
【図４】本発明の実施の形態に係る局側装置において作成されるゲートフレームのフォーマットの一例を示す図である。
【図５】本発明の実施の形態に係る宅側装置において作成されるレポートフレームのフォーマットの一例を示す図である。
【図６】本発明の実施の形態に係る局側装置がスリープ動作中のＯＮＵに対して帯域制限処理を行なう際の動作手順を示すフローチャートである。
【図７】本発明の実施の形態に係る局側装置がスリープ動作中のＯＮＵに対して帯域制限処理を行なう際の局側装置およびＯＮＵ間のデータの流れの一例を示す図である。
【図８】本発明の実施の形態に係る局側装置がスリープ動作中のＯＮＵに対して帯域制限処理を行なう際の局側装置およびＯＮＵ間のデータの流れの一例を示す図である。
【発明を実施するための形態】
【００３０】
以下、本発明の実施の形態について図面を用いて説明する。なお、図中同一または相当部分には同一符号を付してその説明は繰り返さない。
【００３１】
［構成および基本動作］
図１は、本発明の実施の形態に係るＰＯＮシステムの構成を示す図である。
【００３２】
図１を参照して、ＰＯＮシステム３０１は、たとえば１０Ｇ−ＥＰＯＮであり、ＯＮＵ２０２Ａ，２０２Ｂ，２０２Ｃ，２０２Ｄと、局側装置１０１と、スプリッタＳＰ１，ＳＰ２とを備える。ＯＮＵ２０２Ａ，２０２Ｂ，２０２Ｃと局側装置１０１とは、スプリッタＳＰ１およびＳＰ２ならびに光ファイバＯＰＴＦを介して接続され、互いに光信号を送受信する。ＯＮＵ２０２Ｄと局側装置１０１とは、スプリッタＳＰ２および光ファイバＯＰＴＦを介して接続され、互いに光信号を送受信する。ＰＯＮシステム３０１では、ＯＮＵ２０２Ａ，２０２Ｂ，２０２Ｃ，２０２Ｄから局側装置１０１への光信号が時分割多重される。
【００３３】
以下、ＯＮＵから上位ネットワークへの方向を上り方向と称し、上位ネットワークからＯＮＵへの方向を下り方向と称する。
【００３４】
ＰＯＮシステム３０１では、ＯＮＵ２０２は、前述のようなスリープ動作を行なうことが可能である。このスリープ動作において、ＯＮＵ２０２は、局側装置１０１へ上りフレームを送信する送信動作を停止するスリープ状態へ遷移し、スリープ時間経過後にスリープ状態から復帰して、上記送信動作を行なう。そして、ＯＮＵ２０２は、上記送信動作を行なう起床期間の満了後、再びスリープ状態へ遷移するか、またはスリープ状態へ遷移せずに起床通知を局側装置１０１へ送信して上記送信動作を継続する。
【００３５】
図２は、本発明の実施の形態に係るＰＯＮシステムにおける局側装置の構成を示す図である。
【００３６】
図２を参照して、局側装置１０１は、アップリンクＩＦ（Interface）部３１と、受信処理部３３と、送信処理部３４と、ＰＯＮ送受信部３５と、制御部（監視部および帯域割り当て部）３６と、上りフレームを蓄積するＦＩＦＯ３７と、下りフレームを蓄積するＦＩＦＯ３８とを含む。
【００３７】
ＰＯＮ送受信部３５は、共通のＰＯＮ回線経由で各ＯＮＵ２０２と光信号を送受信する。すなわち、ＰＯＮ送受信部３５は、ＰＯＮ線路の親局側起点として、ＰＯＮ回線である光ファイバＯＰＴＦと接続される。ＰＯＮ送受信部３５は、光ファイバＯＰＴＦを介して各ＯＮＵ２０２と双方向通信が行なえるように、特定の波長、たとえば１３１０ｎｍ帯の上り光信号を受信し、電気信号に変換して受信処理部３３に出力するとともに、送信処理部３４から受けた電気信号を別波長の下り光信号に変換して送信する。たとえば、ＰＯＮ送受信部３５は、送信処理部３４から受けた１０Ｇｂｐｓ（ギガビット／秒）の電気信号を１５７０ｎｍ帯の下り光信号に変換して各ＯＮＵ２０２へ送信する。
【００３８】
受信処理部３３は、ＰＯＮ送受信部３５から受けた電気信号からフレームを再構成するとともに、フレームの種別に応じて制御部３６またはＦＩＦＯ３７にフレームを振り分ける。具体的には、データフレームをＦＩＦＯ３７に出力し、制御フレームを制御部３６に出力する。
【００３９】
アップリンクＩＦ部３１は、ＦＩＦＯ３７に蓄積された上りフレームを上位ネットワークへ出力する。また、アップリンクＩＦ部３１は、上位ネットワークからフレームを受けると、当該フレームが通常のデータフレームである場合にはＦＩＦＯ３８に出力し、当該フレームが制御フレームである場合には制御部３６に出力する。
【００４０】
アップリンクＩＦ部３１は、制御部３６から制御フレームを受けた場合には、たとえば、ＦＩＦＯ３７からのフレーム列の合間において、当該制御フレームをＦＩＦＯ３７からのフレームよりも優先して上位ネットワークへ出力する。
【００４１】
送信処理部３４は、ＦＩＦＯ３８または制御部３６が送信すべきフレームを有する場合、優先順位に従ってそのフレームを受け取り、ＰＯＮ送受信部３５に出力する。
【００４２】
制御部３６は、ＭＰＣＰおよびＯＡＭなど、ＰＯＮ回線の制御および管理に関する局側処理を行なう。すなわち、ＰＯＮ回線に接続されている各ＯＮＵ２０２とＭＰＣＰメッセージおよびＯＡＭメッセージをやりとりすることによって、ＯＮＵ２０２の登録、離脱および帯域割り当てを含めた上りアクセス制御、下りアクセス制御、ならびにＯＮＵ２０２へのスリープ指示を含めたＯＮＵ２０２の運用管理などを行なう。
【００４３】
たとえば、制御部３６は、各ＯＮＵ２０２から受けたＰＯＮ回線における上り帯域の割り当て要求に基づいて、ＰＯＮ回線における上り帯域を各ＯＮＵ２０２に割り当てる。具体的には、制御部３６は、ＯＮＵ２０２から受けたＰＯＮ回線における帯域の割り当て要求を示すレポートフレームに基づいて、ＰＯＮ回線における帯域をＯＮＵ２０２に割り当てる、すなわちグラントを記したゲートフレームをＯＮＵ２０２へ送信する。
【００４４】
制御部３６は、各ＯＮＵ２０２からの上りフレームの到着タイミングが局側装置１０１において時間的に重複しないように、ＰＯＮ回線における上り帯域を各ＯＮＵ２０２に割り当てる。制御部３６は、ゲートフレームを用いて、ＯＮＵ２０２に対して、上りフレームの送信開始タイミングおよび送信可能データ長を通知する。
【００４５】
また、たとえば、制御部３６は、各ＯＮＵ２０２からのＰＯＮ回線における上り帯域の割り当て要求の受信期間、帯域の割り当て量の演算期間、および予定された各ＯＮＵ２０２からの上りフレームの受信期間を含む割り当て周期すなわちＤＢＡ（Dynamic Bandwidth Allocation：動的帯域割当）サイクルを繰り返す。
【００４６】
図３は、本発明の実施の形態に係る宅側装置の構成を示す図である。
【００４７】
図３を参照して、ＯＮＵ２０２は、ＰＯＮポート２１と、光受信処理部２２と、バッファメモリ２３と、送信処理部２４と、ＵＮＩ（User Network Interface）ポート２５と、受信処理部２６と、バッファメモリ２７と、光送信処理部２８と、制御部２９とを備える。
【００４８】
光受信処理部２２は、局側装置１０１から送信される下り光信号をＰＯＮポート２１経由で受信して電気信号に変換し、当該電気信号からフレームを再構成するとともに、フレームの種別に応じてバッファメモリ２３経由で制御部２９または送信処理部２４に当該フレームを振り分ける。具体的には、光受信処理部２２は、データフレームを送信処理部２４に出力し、制御フレームを制御部２９に出力する。
【００４９】
送信処理部２４は、光受信処理部２２から受けたデータフレームをＵＮＩポート２５経由で図示しないパーソナルコンピュータ等のユーザ端末へ送信する。
【００５０】
受信処理部２６は、ＵＮＩポート２５経由でユーザ端末から受信したデータフレームをバッファメモリ２７経由で光送信処理部２８へ出力する。
【００５１】
制御部２９は、ＭＰＣＰおよびＯＡＭ等、ＰＯＮ回線の制御および管理に関する宅側処理を行なう。すなわち、ＰＯＮ回線に接続されている局側装置１０１とＭＰＣＰメッセージおよびＯＡＭメッセージをやりとりすることによって、アクセス制御等の各種制御を行なう。制御部２９は、各種制御情報を含む制御フレームを生成し、バッファメモリ２７経由で光送信処理部２８へ出力する。
【００５２】
光送信処理部２８は、受信処理部２６から受けたデータフレームおよび制御部２９から受けた制御フレームを光信号に変換し、ＰＯＮポート２１経由で局側装置１０１へ送信する。
【００５３】
また、制御部２９は、局側装置１０１からスリープ指示を示す制御フレームを受信して、たとえば光送信処理部２８の動作を停止するスリープ状態へ遷移するためのスリープ制御を行なう。また、制御部２９は、スリープ状態への遷移通知であるスリープ通知を示す制御フレームを局側装置１０１へ送信する。
【００５４】
また、制御部２９は、スリープ状態から復帰した後、スリープ状態を継続可能であるか否かを判断し、継続可能であると判断した場合には、スリープ通知を局側装置１０１へ送信し、所定の起床期間が終了すると再びスリープ状態へ遷移する。一方、制御部２９は、スリープ状態から復帰した後、スリープ状態を継続不可であると判断した場合には、起床通知を局側装置１０１へ送信し、引き続き通常動作を行なう。
【００５５】
なお、制御部２９は、局側装置１０１からスリープ指示を示す制御フレームを受信して、スリープ状態へ遷移できないと判断した場合には、スリープ状態へ遷移せず、起床通知を示す制御フレームを局側装置１０１へ送信してもよい。
【００５６】
図４は、本発明の実施の形態に係る局側装置において作成されるゲートフレームのフォーマットの一例を示す図である。
【００５７】
図４を参照して、ゲートフレームは、ヘッダフィールドと、グラント数／フラグフィールドと、グラント＃１〜＃４の開始時間フィールドおよびデータ長フィールドと、パディングフィールドと、ＦＣＳ（Frame Check Sequence）フィールドとを有する。
【００５８】
グラント数／フラグフィールドでは、当該ゲートフレームにおいて指定されるグラントの数を設定可能である。
【００５９】
より詳細には、ゲートフレームでは、０から最大４つまでグラントを設定することができる。また、グラント数として４未満の値を設定した場合には、未使用のグラント＃ｎの開始時間フィールドおよびデータ長フィールド分、パディングフィールドが追加される。これにより、ゲートフレームのフレーム長は常にたとえば６４バイトに保たれる。
【００６０】
また、グラント数／フラグフィールドでは、指定されたグラントを用いてレポートを送信するか否かを示す強制レポートフラグを設定可能である。
【００６１】
より詳細には、強制レポートフラグが設定されたグラントは、レポート用グラントとして使用され、ＯＮＵ２０２は、強制レポートフラグが設定されたグラントについては、必ずレポートフレームを送信しなければならない。
【００６２】
本発明の実施の形態に係るＰＯＮシステムでは、たとえば、グラント数は２に設定され、強制レポートフラグはグラント＃１がオン、グラント＃２がオフに設定される。すなわち、１つのゲートフレームにより、レポートフレーム用のグラント＃１と、制御フレームまたはデータフレーム用のグラント＃２とが与えられる。グラント＃１は、レポートフレーム１つ分が送信できるだけの最小限のデータ量であり、グラント＃２は、たとえば、ＯＮＵ２０２が局側装置１０１へ通知したレポート値に応じたデータ量である。
【００６３】
図５は、本発明の実施の形態に係る宅側装置において作成されるレポートフレームのフォーマットの一例を示す図である。
【００６４】
図５を参照して、レポートフレームは、ヘッダフィールドと、Ｑｓｅｔ数フィールドと、レポートビットマップフィールド、Ｑ＃０レポート〜Ｑ＃７レポートのフィールドと、パディングフィールドと、ＦＣＳフィールドとを有する。
【００６５】
Ｑｓｅｔ数フィールドには、Ｑｓｅｔの数が設定される。このＱｓｅｔ数分、レポートビットマップフィールドおよびＱ＃ｎレポートフィールドが設けられる。図５では、代表的に１つのＱｓｅｔが示されている。
【００６６】
レポートビットマップフィールドには、ＱｓｅｔにおいてＱ＃ｎレポートがいくつ設けられるかを示すビットマップが設定される。
【００６７】
たとえば、”０００１１１１１”のビット列が設定された場合、Ｑレポート数は５つである。
【００６８】
本発明の実施の形態に係るＰＯＮシステムでは、たとえば、Ｑｓｅｔ数＝２であり、レポートビットマップ＝”０００１１１１１”である。つまり、１つのレポートフレームにおいて、５つのＱレポートを有するＱｓｅｔが２つ設定される。
【００６９】
また、たとえば、ＯＮＵ２０２において、バッファメモリ２７は、上りフレームの優先度に応じて５種類の上りキューを有する。より詳細には、上りデータフレームの優先度は４種類あり、他の１つは制御フレーム用のキューであり、制御フレームの優先度が最も高い。
【００７０】
ＯＮＵ２０２は、上りトラフィックが無い場合には、全ＱｓｅｔのＱレポート値が０であるゼロレポートを局側装置１０１へ送信する。また、ＯＮＵ２０２は、上りトラフィックが存在する場合には、いずれかのＱレポートに値が設定されているノンゼロレポートを局側装置１０１へ送信する。ＯＮＵ２０２は、上りキューに蓄積された上りフレームのデータ量に応じてレポート値を設定する。
【００７１】
［動作］
次に、本発明の実施の形態に係る局側装置によるスリープ動作中のＯＮＵに対する帯域制限処理について図面を用いて説明する。
【００７２】
局側装置１０１における制御部３６は、スリープ通知を受けると、当該スリープ通知の送信元のＯＮＵ２０２に対して、ＰＯＮ回線における帯域の割り当てを制限する。たとえば、制御部３６は、スリープ状態のＯＮＵ２０２に対して、起床通知およびスリープ通知を送信するための帯域も制限する。
【００７３】
また、制御部３６は、スリープ状態から復帰したＯＮＵ２０２に対して、起床通知またはスリープ通知を送信するためのＰＯＮ回線における帯域を割り当てる。
【００７４】
ＯＮＵ２０２における制御部２９は、局側装置１０１から通知されたＰＯＮ回線における帯域の割り当て量の範囲内で、具体的にはグラント＃２の範囲内で、起床通知またはスリープ通知を他の制御フレームおよびデータフレームよりも優先して局側装置１０１へ送信する。なお、レポートフレームは、グラント＃２に関わらず、グラント＃１に従って送信可能である。
【００７５】
そして、制御部３６は、局側装置１０１への起床通知の到着を監視し、スリープ状態から復帰したＯＮＵ２０２からの起床通知が局側装置１０１に到着していない場合には、ＯＮＵ２０２に対して、起床通知またはスリープ通知に対応する量の帯域を割り当てる、すなわち起床通知およびスリープ通知とは異なる情報を送信するための帯域の割り当てを制限する。
【００７６】
たとえば、制御部３６は、スリープ状態から復帰したＯＮＵ２０２から、起床通知を受ける前に、起床通知およびスリープ通知とは異なる情報を送信するためのＰＯＮ回線における帯域の割り当てをＯＮＵ２０２から要求されても、要求された帯域の割り当てを行なわない。すなわち、制御部３６は、起床通知およびスリープ通知以外の用途の帯域について割り当て制限を継続する。
【００７７】
一方、制御部３６は、スリープ状態から復帰したＯＮＵ２０２から起床通知を受信した場合には、起床通知の送信元のＯＮＵ２０２に対して、ＰＯＮ回線における帯域の割り当ての制限を解除する。
【００７８】
図６は、本発明の実施の形態に係る局側装置がスリープ動作中のＯＮＵに対して帯域制限処理を行なう際の動作手順を示すフローチャートである。
【００７９】
図６を参照して、まず、局側装置１０１における制御部３６は、たとえば対象ＯＮＵの上りトラフィック量および下りトラフィック量を示すトラフィック情報を取得する。このトラフィック量は、たとえば、フレーム数であってもよいし、バイトおよびビット等のデータ量であってもよい。そして、制御部３６は、対象ＯＮＵのトラフィック量が少ないことから対象ＯＮＵはスリープ状態へ遷移可能であると判断すると、対象ＯＮＵに対してスリープ指示を送信し、スリープ動作における次の起床タイミングまでスリープさせる。このスリープ指示には、たとえばスリープ状態への遷移タイミングおよびスリープ時間が含まれる（ステップＳ１）。
【００８０】
次に、制御部３６は、対象ＯＮＵからスリープ通知を受信すると（ステップＳ２）、対象ＯＮＵに対応するタイマをスタートさせる（ステップＳ３）。このタイマは、たとえばスリープ時間を初期値としてカウントダウンする。制御部３６は、このタイマが満了すなわちゼロになるまでの期間、対象ＯＮＵはスリープ状態であると判断する。
【００８１】
次に、制御部３６は、タイマが満了していない場合には（ステップＳ４でＮＯ）、ＤＢＡサイクルごとに、対象ＯＮＵに対する制御フレームまたはデータフレーム用の帯域割り当て量すなわちグラントをゼロに設定したゲートフレームを作成し（ステップＳ５）、対象ＯＮＵへ送信する（ステップＳ６）。
【００８２】
ここで、制御部３６は、タイマが満了していない場合において（ステップＳ４でＮＯ）、対象ＯＮＵから制御フレームまたはデータフレーム用の帯域割り当て要求すなわちレポートフレームを受信しても（ステップＳ７でＹＥＳ）、当該帯域割り当て要求を無視し、制御フレームまたはデータフレーム用のグラントをゼロに設定したゲートフレームの作成および送信を行なう（ステップＳ８）。
【００８３】
次に、制御部３６は、タイマが満了した場合には（ステップＳ４でＹＥＳ）、対象ＯＮＵがスリープ状態から復帰したと判断し、ＤＢＡサイクルごとに、スリープ通知または起床通知を送信するための帯域を対象ＯＮＵに対して割り当てる。すなわち、制御部３６は、スリープ通知または起床通知用のグラントを設定したゲートフレームを作成し（ステップＳ９）、対象ＯＮＵへ送信する（ステップＳ１０）。
【００８４】
次に、制御部３６は、対象ＯＮＵから起床通知を受信した場合には（ステップＳ１１でＹＥＳ）、対象ＯＮＵに対する帯域割り当て制限、すなわちグラントの制限を解除する。すなわち、制御部３６は、対象ＯＮＵからの帯域割り当て要求すなわちレポートフレームの示すレポート値に基づいて、対象ＯＮＵに対する帯域割り当て量を算出する（ステップＳ１２）。
【００８５】
一方、制御部３６は、対象ＯＮＵから起床通知を受信していない場合において（ステップＳ１１でＮＯ）、対象ＯＮＵから制御フレームまたはデータフレーム用の帯域割り当て要求すなわちレポートフレームを受信しても（ステップＳ１３でＹＥＳ）、当該帯域割り当て要求を無視し、スリープ通知または起床通知用のグラントを設定したゲートフレームの作成および送信を行なう（ステップＳ１４）。
【００８６】
そして、制御部３６は、対象ＯＮＵから起床通知またはスリープ通知を受信するまで（ステップＳ１１でＹＥＳまたはステップＳ１５でＹＥＳ）、ＤＢＡサイクルごとに、スリープ通知または起床通知用のグラントを設定したゲートフレームの作成および送信を行なう（ステップＳ９およびステップＳ１０）。
【００８７】
一方、制御部３６は、対象ＯＮＵからスリープ通知を受信した場合には（ステップＳ１５でＹＥＳ）、対象ＯＮＵに対応するタイマを再びスタートさせる（ステップＳ３）。
【００８８】
図７は、本発明の実施の形態に係る局側装置がスリープ動作中のＯＮＵに対して帯域制限処理を行なう際の局側装置およびＯＮＵ間のデータの流れの一例を示す図である。
【００８９】
図７を参照して、タイミングｔ０において、局側装置１０１は、対象ＯＮＵをスリープ状態へ遷移させると判断し、スリープ指示ＳＩを対象ＯＮＵへ送信する。対象ＯＮＵは、スリープ指示ＳＩを受信して、スリープ通知ＳＲを局側装置１０１へ送信する。
【００９０】
次に、局側措置１０１は、スリープ通知ＳＲを受信して、対象ＯＮＵのスリープ開始タイミングに対応するタイミングｔ１において対象ＯＮＵに対応するタイマをスタートさせる。局側装置１０１は、対象ＯＮＵがスリープ状態から復帰するタイミングに対応するタイミングｔ２において当該タイマが満了するように、対象ＯＮＵのスリープ時間に対応する初期値をタイマに設定する。
【００９１】
そして、局側措置１０１は、タイミングｔ１以降、タイミングｔ２まで、ＤＢＡサイクルごとに、制御フレームまたはデータフレーム用のグラントをゼロに設定したゲートフレームＧＺを作成して対象ＯＮＵへ送信する。具体的には、図４に示すフレームフォーマットにおいて、たとえば、局側装置１０１は、グラント＃２のデータ長フィールドをゼロに設定したゲートフレームを送信する。また、局側装置１０１は、たとえば、スリープ状態の対象ＯＮＵに対しても、局側装置１０１との同期を維持させるために、グラント＃１の強制レポートフラグをオンに設定したゲートフレームを送信する。
【００９２】
次に、局側措置１０１は、タイミングｔ２において、タイマが満了すると、ＤＢＡサイクルごとに、スリープ通知ＳＲまたは起床通知ＷＲ用のグラントを設定したゲートフレームＧＸを作成し、対象ＯＮＵへ送信する。具体的には、図４に示すフレームフォーマットにおいて、局側装置１０１は、スリープ状態から復帰した対象ＯＮＵに対して、グラント＃２のデータ長フィールドに、スリープ通知または起床通知用のグラント量を設定したゲートフレームを送信する。
【００９３】
次に、局側措置１０１は、タイミングｔ３において、スリープ通知を対象ＯＮＵから受信する。これにより、局側措置１０１は、対象ＯＮＵの起床期間が満了するタイミングｔ４において、対象ＯＮＵがスリープ状態へ再び遷移することを認識する。
【００９４】
次に、局側措置１０１は、対象ＯＮＵのスリープ開始タイミングに対応するタイミングｔ４において対象ＯＮＵに対応するタイマをスタートさせる。局側装置１０１は、対象ＯＮＵがスリープ状態から復帰するタイミングにおいて当該タイマが満了するように、対象ＯＮＵのスリープ時間に対応する初期値をタイマに設定する。
【００９５】
そして、局側措置１０１は、タイミングｔ４以降、対象ＯＮＵがスリープ状態から復帰するタイミングまで、ＤＢＡサイクルごとに、制御フレームまたはデータフレーム用のグラントをゼロに設定したゲートフレームＧＺを作成して対象ＯＮＵへ送信する。
【００９６】
図８は、本発明の実施の形態に係る局側装置がスリープ動作中のＯＮＵに対して帯域制限処理を行なう際の局側装置およびＯＮＵ間のデータの流れの一例を示す図である。
【００９７】
図８を参照して、タイミングｔ１０において、局側装置１０１は、対象ＯＮＵをスリープ状態へ遷移させると判断し、スリープ指示ＳＩを対象ＯＮＵへ送信する。対象ＯＮＵは、スリープ指示ＳＩを受信して、スリープ通知ＳＲを局側装置１０１へ送信する。
【００９８】
次に、局側措置１０１は、スリープ通知ＳＲを受信して、対象ＯＮＵのスリープ開始タイミングに対応するタイミングｔ１１において対象ＯＮＵに対応するタイマをスタートさせる。局側装置１０１は、対象ＯＮＵがスリープ状態から復帰するタイミングに対応するタイミングｔ１２において当該タイマが満了するように、対象ＯＮＵのスリープ時間に対応する初期値をタイマに設定する。
【００９９】
そして、局側措置１０１は、タイミングｔ１１以降、タイミングｔ１２まで、ＤＢＡサイクルごとに、制御フレームまたはデータフレーム用のグラントをゼロに設定したゲートフレームＧＺを作成して対象ＯＮＵへ送信する。具体的には、図４に示すフレームフォーマットにおいて、たとえば、局側装置１０１は、グラント＃２のデータ長フィールドをゼロに設定したゲートフレームを送信する。また、局側装置１０１は、たとえば、スリープ状態の対象ＯＮＵに対しても、局側装置１０１との同期を維持させるために、グラント＃１の強制レポートフラグをオンに設定したゲートフレームを送信する。
【０１００】
次に、局側措置１０１は、タイミングｔ１２において、タイマが満了すると、ＤＢＡサイクルごとに、スリープ通知ＳＲまたは起床通知ＷＲ用のグラントを設定したゲートフレームＧＸを作成し、対象ＯＮＵへ送信する。具体的には、図４に示すフレームフォーマットにおいて、局側装置１０１は、スリープ状態から復帰した対象ＯＮＵに対して、グラント＃２のデータ長フィールドに、スリープ通知または起床通知用のグラント量を設定したゲートフレームを送信する。
【０１０１】
次に、局側措置１０１は、タイミングｔ１３において、レポートフレーム以外の制御フレーム、またはデータフレームを送信するためのレポート値を示すレポートフレームＲ１を対象ＯＮＵから受信する。しかしながら、局側措置１０１は、対象ＯＮＵから起床通知ＷＲを受信していないため、このレポートフレームを無視し、スリープ通知ＳＲまたは起床通知ＷＲ用のグラントを設定したゲートフレームＧＸの作成および送信を継続する。
【０１０２】
次に、局側措置１０１は、タイミングｔ１４において、起床通知ＷＲを対象ＯＮＵから受信する。これにより、局側措置１０１は、対象ＯＮＵに対するグラントの制限を解除する。
【０１０３】
次に、局側措置１０１は、タイミングｔ１５において、レポートフレーム以外の制御フレーム、またはデータフレームを送信するためのレポート値を示すレポートフレームＲ２を対象ＯＮＵから受信する。
【０１０４】
そして、局側措置１０１は、レポートフレームＲ２の示すレポート値に基づいて、対象ＯＮＵに与えるグラントを算出し、タイミングｔ１６において、算出したグラントを示すゲートフレームＧＹを作成し、対象ＯＮＵへ送信する。
【０１０５】
その後、対象ＯＮＵは、新たなレポートフレームＲ３を局側装置１０１へ送信し、また、局側装置１０１から受信したゲートフレームＧＹの示すグラントに従い、制御フレームまたはデータフレームＦＲを局側装置１０１へ送信する。
【０１０６】
このように、局側装置１０１は、タイマが満了するタイミングｔ１２すなわち対象ＯＮＵのスリープ期間終了後、起床通知またはスリープ通知を対象ＯＮＵが送信するためのグラントを対象ＯＮＵに与える。この場合、制御フレームまたはデータフレーム用のグラントは、対象ＯＮＵから通知されるレポート値に関わらず、起床通知またはスリープ通知を示す制御フレームを対象ＯＮＵが送信するための最小限の値が設定される。
【０１０７】
そして、局側装置１０１は、対象ＯＮＵから起床通知を受信した後は、他の上りフレームの送信が可能となるように、対象ＯＮＵから通知されるレポート値に基づいて対象ＯＮＵにグラントを与える。
【０１０８】
なお、局側措置１０１は、タイミングｔ１１からタイミングｔ１２までの期間において、スリープ通知ＳＲまたは起床通知ＷＲ用のグラントを設定したゲートフレームＧＸをＯＮＵ２０２へ送信する構成であってもよい。この場合でも、ＯＮＵ２０２は、起床期間においてスリープ通知ＳＲまたは起床通知ＷＲを局側装置１０１へ送信する。
【０１０９】
また、本発明の実施の形態に係るＰＯＮシステムでは、ＯＮＵ２０２は、スリープ状態へ遷移する場合にスリープ通知を局側装置１０１へ送信する構成であるとしたが、これに限定するものではない。ＯＮＵ２０２は、スリープ通知を局側装置１０１へ送信せずにスリープ状態へ再び遷移する構成であってもよい。この場合、局側装置１０１は、ＯＮＵ２０２から起床通知を受けるまでは当該ＯＮＵ２０２はスリープ動作を行っていると判断し、ＯＮＵ２０２の起床期間の長さおよびスリープ期間の長さを把握して帯域割り当て処理および帯域割り当ての制限処理を行なうことが可能である。
【０１１０】
ところで、ＯＮＵが前述のようなスリープ動作を行なう場合、局側装置において、起床通知が到着する前に上りデータフレームがＯＮＵから到着すると、局側装置において当該上りデータフレームを受信できず、廃棄されてしまう可能性がある。また、スリープ状態において、ＯＮＵに搭載される、光信号を送受信するための光トランシーバにおける送信回路を停止することによって省電力化を図る構成では、起床期間の開始直後にＯＮＵが上りデータフレームを送信すると、光トランシーバの光出力が安定する前に不安定な光信号が局側装置へ送信される可能性がある。
【０１１１】
これに対して、本発明の実施の形態に係るＰＯＮシステムでは、局側装置１０１における制御部３６は、スリープ動作中のＯＮＵ２０２からの局側装置１０１への起床通知の到着を監視する。そして、制御部３６は、スリープ動作中のＯＮＵ２０２からの起床通知が局側装置１０１に到着していない場合には、当該ＯＮＵ２０２に対して、起床通知に対応する量のＰＯＮ回線における帯域を割り当てる。
【０１１２】
このように、スリープ動作中のＯＮＵ２０２に対して起床通知用の帯域とは異なる情報用の帯域の割り当てを制限する構成により、起床通知と他の上りフレームとの順序に関する通信手順を遵守し、局側装置１０１における上りフレームの廃棄を防ぐことができる。また、ＯＮＵ２０２からの起床通知を受信してから当該ＯＮＵ２０２に対して他の上りフレームの送信を許可する構成により、起床期間の開始直後にＯＮＵがデータフレーム等を送信することを防ぎ、光トランシーバの光出力が安定する前に不安定な光信号が局側装置１０１へ送信されることを防ぐことができる。
【０１１３】
したがって、本発明の実施の形態に係るＰＯＮシステムでは、宅側装置がスリープ動作を行なうことが可能な通信システムにおいて、宅側装置から局側装置への通信の安定化を図ることができる。
【０１１４】
また、本発明の実施の形態に係るＰＯＮシステムでは、制御部３６は、ＯＮＵ２０２から起床通知を受ける前に、起床通知に対応する量とは異なる量のＰＯＮ回線における帯域の割り当てをＯＮＵ２０２から要求されても、要求された帯域の割り当てを行なわない。
【０１１５】
このような構成により、たとえば、ＯＮＵ２０２が起床通知およびスリープ通知を局側装置１０１へ送信するＰＯＮシステムにおいて、ＯＮＵ２０２が、起床期間において、起床通知を送信する前に誤って局側装置１０１に対して他の上りフレーム用の帯域の割り当てを要求したとき、この要求を無視することができる。このため、宅側装置から局側装置への通信のさらなる安定化を図ることができる。
【０１１６】
また、本発明の実施の形態に係るＰＯＮシステムでは、ＯＮＵ２０２における制御部２９は、スリープ状態へ遷移する場合にはスリープ通知を局側装置１０１へ送信する。ＰＯＮ回線における帯域に関し、スリープ通知に対応する量は、起床通知に対応する量と共通である。局側装置１０１における制御部３６は、スリープ動作中のＯＮＵ２０２からの局側装置１０１への起床通知の到着を監視する。そして、制御部３６は、スリープ動作中のＯＮＵ２０２からの起床通知が局側装置１０１に到着していない場合には、当該ＯＮＵ２０２に対して、上記共通する量のＰＯＮ回線における帯域を割り当てる。
【０１１７】
このような構成により、ＯＮＵ２０２が起床通知およびスリープ通知を局側装置１０１へ送信するＰＯＮシステムにおいて、スリープ動作中のＯＮＵ２０２に対する帯域割り当て処理および帯域割り当ての制限処理を適切に行なうことができる。
【０１１８】
このような構成により、ＯＮＵ２０２が起床通知およびスリープ通知を局側装置１０１へ送信するＰＯＮシステムにおいて、ＯＮＵ２０２が、起床期間において、起床通知を送信する前に誤って局側装置１０１に対して他の上りフレーム用の帯域の割り当てを要求したとき、この要求を無視することができるため、宅側装置から局側装置への通信のさらなる安定化を図ることができる。
【０１１９】
なお、本発明の実施の形態に係るＰＯＮシステムにおいて、起床通知に対応する帯域量およびスリープ通知に対応する帯域量は異なってもよい。この場合、制御部３６は、スリープ動作中のＯＮＵ２０２からの起床通知が局側装置１０１に到着していない場合には、当該ＯＮＵ２０２に対して、起床通知に対応する量およびスリープ通知に対応する量のうち多い方のＰＯＮ回線における帯域を割り当てる。
【０１２０】
このように、スリープ動作中のＯＮＵ２０２に対して起床通知用の帯域とは異なる情報用の帯域の割り当てを制限する構成により、起床通知と他の上りフレームとの順序に関する通信手順を遵守し、局側装置１０１における上りフレームの廃棄を防ぐことができる。また、ＯＮＵ２０２からの起床通知を受信してから当該ＯＮＵ２０２に対して他の上りフレームの送信を許可する構成により、起床期間の開始直後にＯＮＵがデータフレーム等を送信することを防ぎ、光トランシーバの光出力が安定する前に不安定な光信号が局側装置１０１へ送信されることを防ぐことができる。また、ＯＮＵ２０２が起床通知およびスリープ通知を局側装置１０１へ送信するＰＯＮシステムにおいて、ＯＮＵ２０２が、起床期間において、起床通知を送信する前に誤って局側装置１０１に対して他の上りフレーム用の帯域の割り当てを要求したとき、この要求を無視することができる。したがって、宅側装置がスリープ動作を行なうことが可能な通信システムにおいて、宅側装置から局側装置への通信の安定化を図ることができる。
【０１２１】
本発明の実施の形態に係るＰＯＮシステムでは、局側装置２０１における制御部３６が、ＯＮＵ２０２に対する帯域割り当て処理および帯域割り当ての制限処理を行なう。
【０１２２】
しかしながら、ＰＯＮシステム３０１は、このような構成に限定されるものではない。すなわち、局側装置２０１の代わりに、ＰＯＮシステム３０１における局側装置１０１およびＯＮＵ２０２以外の他の装置が、ＯＮＵ２０２に対する帯域割り当て処理および帯域割り当ての制限処理を行なう構成であってもよい。
【０１２３】
この場合、ＰＯＮシステム３０１は、監視部と、帯域割り当て部とを備える。
【０１２４】
たとえばＯＮＵ２０２が起床通知およびスリープ通知を局側装置１０１へ送信するＰＯＮシステムにおいて、監視部は、スリープ動作中のＯＮＵ２０２からの局側装置１０１への起床通知の到着を監視する。
【０１２５】
そして、帯域割り当て部は、スリープ動作中のＯＮＵ２０２からの起床通知が局側装置１０１に到着していない場合には、当該ＯＮＵ２０２に対して、起床通知に対応する量のＰＯＮ回線における帯域を割り当て、また、スリープ通知に対応する量のＰＯＮ回線における帯域を割り当てる。
【０１２６】
また、たとえば、帯域割り当て部は、スリープ動作中のＯＮＵ２０２からの起床通知が局側装置１０１に到着する前に、起床通知およびスリープ通知とは異なる情報を送信するためのＰＯＮ回線における帯域の割り当てをＯＮＵ２０２から要求されても、要求された帯域の割り当てを行なわない。
【０１２７】
また、起床通知に対応する帯域量およびスリープ通知に対応する帯域量が異なる場合には、帯域割り当て部は、スリープ動作中のＯＮＵ２０２からの起床通知が局側装置１０１に到着していない場合には、当該ＯＮＵ２０２に対して、起床通知に対応する量およびスリープ通知に対応する量のうち多い方のＰＯＮ回線における帯域を割り当てる。
【０１２８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１２９】
２１  ＰＯＮポート
２２  光受信処理部
２３  バッファメモリ
２４  送信処理部
２５  ＵＮＩポート
２６  受信処理部
２７  バッファメモリ
２８  光送信処理部
２９  制御部
３１  アップリンクＩＦ部
３３  アップリンクＩＦ部
３４  送信処理部
３５  ＰＯＮ送受信部
３６  制御部（監視部および帯域割り当て部）
３７，３８  ＦＩＦＯ
１０１  局側装置（ＯＬＴ）
２０２Ａ，２０２Ｂ，２０２Ｃ，２０２Ｄ  宅側装置（ＯＮＵ）
３０１  ＰＯＮシステム
ＳＰ１，ＳＰ２  スプリッタ
ＯＰＴＦ  光ファイバ
【図１】
2013098600.tif 000003
【図２】
2013098600.tif 000004
【図３】
2013098600.tif 000005
【図４】
2013098600.tif 000006
【図５】
2013098600.tif 000007
【図６】
2013098600.tif 000008
【図７】
2013098600.tif 000009
【図８】
2013098600.tif 000010